(57)【要約】【課題】浴槽本体と洗い場の間を移動する際の妨げとなり難い、浴槽を提供する。【解決手段】浴槽１は、浴槽本体１１と、浴槽本体１１の上縁に設けられるフランジ部１２と、シャワーヘッド５３を掛けることができるシャワーフック部材２と、フランジ部１２に配置されシャワーフック部材２を収容可能な収容部３と、を備える。シャワーフック部材２は、収容部３に収容される収容位置又は収容部３から突出する突出位置、に配置可能に設けられることを特徴とする。【選択図】図１
2015202145.tif 000002
【特許請求の範囲】
【請求項１】
浴槽本体と、前記浴槽本体の上縁に設けられるフランジ部と、シャワーヘッドを掛けることができるシャワーフック部材と、前記フランジ部に配置され前記シャワーフック部材を収容可能な収容部と、を備え、
前記シャワーフック部材は、前記収容部に収容される収容位置又は前記収容部から突出する突出位置、に配置可能に設けられることを特徴とする浴槽。
【請求項２】
前記シャワーフック部材は、上端部に設けられるフック部と、前記フック部を回転自在に支持する固定部と、を有することを特徴とする請求項１に記載の浴槽。
【請求項３】
前記収容部には、前記シャワーフック部材を挿通させる挿通開口が形成され、
前記シャワーフック部材には、前記挿通開口を開閉自在に覆うカバー部が設けられることを特徴とする請求項１又は請求項２に記載の浴槽。
【発明の詳細な説明】
【技術分野】
【０００１】
本発明は、浴槽に関するものである。より詳細には、シャワーフックを取付けた浴槽に関する。
【背景技術】
【０００２】
従来、スライドバーと、スライドバーに移動自在に取付けられるシャワーフックと、を備えたシャワーフック部材が知られている（例えば特許文献１参照）。
【先行技術文献】
【特許文献】
【０００３】
【特許文献１】特開２０１３−１７９９８９号公報
【発明の概要】
【発明が解決しようとする課題】
【０００４】
特許文献１に記載されている発明のスライドバーは、浴槽のフランジ部で洗い場と隣接する端部に設けられる。そして、スライドバーの下端部は浴槽のフランジ部に固定され、スライドバーの上端部は天井に固定される。このとき、シャワーフック部材は浴槽本体と洗い場との間に常設されるため、使用者が浴槽本体と洗い場の間を移動する際の妨げとなっていた。
【０００５】
本発明は上記従来の問題点に鑑みて発明したものであって、その目的とするところは、浴槽本体と洗い場の間を移動の妨げとなり難い、浴槽を提供することを課題とするものである。
【課題を解決するための手段】
【０００６】
上記課題を解決するために、本発明は、以下のような構成とする。
【０００７】
浴槽本体と、前記浴槽本体の上縁に設けられるフランジ部と、シャワーヘッドを掛けることができるシャワーフック部材と、前記フランジ部に配置され前記シャワーフック部材を収容可能な収容部と、を備え、前記シャワーフック部材は、前記収容部に収容される収容位置又は前記収容部から突出する突出位置、に配置可能に設けられることを特徴とする。
【０００８】
また、前記シャワーフック部材は、上端部に設けられるフック部と、前記フック部を回転自在に支持する固定部と、を有することが好ましい。
【０００９】
また、前記収容部には、前記シャワーフック部材を挿通させる挿通開口が形成され、前記シャワーフック部材には、前記挿通開口を開閉自在に覆うカバー部が設けられることが好ましい。
【発明の効果】
【００１０】
本発明の浴槽では、浴槽のフランジ部に配置される収容部にシャワーフック部材が収容される。シャワーフック部材は、収容部に収容される収容位置と収容部から突出する突出位置に配置可能となるように設けられるので、使用者が浴槽本体と洗い場の間を移動する際の妨げとなり難い。
【図面の簡単な説明】
【００１１】
【図１】本実施形態の浴槽を備えた浴室の斜視図である。
【図２】本実施形態のシャワーフック部材が、浴槽のフランジに配置された収容部に収容されたときの要部断面図である。
【図３】本実施形態のシャワーフック部材の斜視図である。
【図４】本実施形態の収容部の斜視図である。
【発明を実施するための形態】
【００１２】
以下、本発明を添付図面に示す実施形態に基いて説明する。
【００１３】
浴室５は、図１に示すように、浴槽１と、浴槽１と隣接する洗い場５１と、浴槽１と洗い場５１の周縁部に取付けられる複数の壁パネル５２と、を備える。
【００１４】
洗い場５１には、浴槽１と隣接する端部の中央部分に排水口５１ａが配置される。
【００１５】
壁パネル５２には、ミラー５２ａと、吐水部５２ｂと、吐水部５２ｂに接続されたシャワーのシャワーヘッド５３を掛けるシャワーフック５２ｃと、が取付けられる。
【００１６】
浴槽１は、プレス成形や注型成形やハンドレイアップ法等の製造方法を用いて形成されるが、その製造方法は特に限定されない。浴槽１は、湯水を溜める浴槽本体１１と、浴槽本体１１の上縁に設けられるフランジ部１２と、フランジ部１２の洗い場５１側端部と洗い場５１の浴槽１側端部との間に取付けられるエプロン１３と、を備える。また、浴槽１は、本実施形態では、図１，２に示すように、シャワーヘッド５３を掛けることができるシャワーフック部材２と、フランジ部１２に配置されシャワーフック部材２を収容可能な収容部３と、を備える。
【００１７】
シャワーフック部材２は、例えば合成樹脂で形成されるが、その材質は限定されない。シャワーフック部材２は、図２，３に示すように、上端部に設けられるフック部２１と、フック部２１を回転自在に支持する固定部２２と、を有することが好ましい。
【００１８】
フック部２１は、本実施形態では、円柱の一部を切欠いた形状となっているが、その形状は限定されない。フック部２１の切欠きは、シャワーヘッド５３を掛けるシャワーヘッド掛け溝２１ａとなる。シャワーヘッド掛け溝２１ａの平面視の形状は、平面視Ｕ字状となる。シャワーヘッド掛け溝２１ａは、フック部２１の上下方向に貫通して設けられる。シャワーヘッド掛け溝２１ａは、フック部２１の上下方向に垂直な方向に開口を有している。シャワーヘッド掛け溝２１ａは、本実施形態では、フック部２１の浴槽本体１１側に設けられる。
【００１９】
フック部２１の下端面と固定部２２の上端面が合わさる位置で、本実施形態では、フック部２１の下端面の洗い場５１側に、軸２１ｂが配設される。また、軸２１ｂの下端部には凸部２１ｃが設けられる。
【００２０】
固定部２２は、本実施形態では、円柱状となっているが。その形状は限定されない。固定部２２は、上端面の洗い場５１側に設けられる軸孔２２ａを有する。また、軸孔２２ａには、周方向の全長に亘って設けられ、凸部２１ｃが掛止される凹部２２ｂが形成される。
【００２１】
凸部２１ｃが凹部２２ｂに掛止されるまで、フック部２１の軸２１ｂが固定部２２の軸孔２２ａに挿入される。そして、フック部２１を回転させると軸２１ｂの回転に合わせ、凸部２１ｃは凹部２２ｂ内を軸２１ｂの周方向に移動する。なお、軸が固定部２２に設けられ軸孔がフック部２１に設けられてもよく、固定部２２とフック部２１の両方に軸孔を設け、そして軸を別部材として設けてもよい。
【００２２】
フック部２１が回転することにより、使用者が使い易い位置にシャワーヘッド掛け溝２１ａを位置させることができるので、シャワーの使い勝手を向上させることができる。また、本実施形態では、固定部２２の中心軸上に軸２１ｂ及び軸孔２２ａが設けられておらず、固定部２２の中心軸より洗い場５１側にずれて軸２１ｂ及び軸孔２２ａが設けられる。固定部２２の上端面とフック部２１の下端面が合わさる位置からフック部２１を回転させた場合、フック部２１は固定部２２から突出する。これにより、フック部２１を固定部２２から突出させることができるので、シャワーの使い勝手を更に向上させることができる。
【００２３】
なお、シャワーフック部材２は、フック部２１及び固定部２２が設けられず、上端部の洗い場５１側にシャワーヘッド掛け溝２１ａが設けられる構成であってもよい。
【００２４】
固定部２２は、上端部に取付けられる止水リング２３を有する。止水リング２３は、ゴム等の軟質材で形成されることが好ましい。止水リング２３が取付けられることにより、シャワーフック部材２が収容部３に収容されている際に、シャワーフック部材２と収容部３との間に浸入してきた湯水を止水することができる。
【００２５】
固定部２２は、径方向に貫通する孔であるホルダー部２２ｃを有する。また、ホルダー部２２ｃには、図２，３に示すように、突出自在に保持される可動部２４が取付けられる。可動部２４は、球状の二つの引掛け部２４ａと、二つの引掛け部２４ａを接続しバネ等で形成される弾性部材２４ｂと、で設けられる。ホルダー部２２ｃの軸方向に垂直な断面の大きさは、径方向の両端部で、球状の引掛け部２４ａの最も大きい断面よりも小さくなるように形成される。これにより、ホルダー部２２ｃに可動部２４が取付けられると、二つの引掛け部２４ａはホルダー部２２ｃの両端から一部が突出することになる。そして、固定部２２の径内方向に向かう力が引掛け部２４ａにかかると、弾性部材２４ｂが圧縮され、引掛け部２４ａはホルダー部２２ｃ内に引っ込むことになる。
【００２６】
収容部３は、本実施形態では、例えば合成樹脂で形成されるが、その材質は限定されない。収容部３は、本実施形態では、図２，４に示すように、フランジ１２と別体で形成されるが、フランジ１２と一体に形成されてもよい。収容部３は、本実施形態では、有底円筒状でありシャワーフック部材２が挿入される挿入部３１と、挿入部３１の上端から挿入部３１の径外方向に突出する鍔部３２と、を有する。
【００２７】
挿入部３１には、シャワーフック部材２を挿通させる挿通開口３１ａが形成される。挿通開口３１ａは、上方に向けて開口する。挿入部３１は、挿入部３１に挿入されたシャワーフック部材２が抜け出ないようにするために底部３３を有する。底部３３には、シャワーフック部材２と収容部３との間から浸入してきた湯水が挿入部３１から排出する、複数の水抜き孔３３ａが設けられる。
【００２８】
また、シャワーフック部材２と収容部３との間に湯水が浸入し難くするために、シャワーフック部材２に挿通開口３１ａを開閉自在に覆うカバー部４が設けられることが好ましい。本実施形態では、カバー部４はシャワー掛け溝２１ａの上側の開口を開閉自在に覆う。カバー部４は、本実施形態では、図２，３に示すように、フック部２１の上端面に固定される蝶番４１と、蝶番４１に回転自在に取付けられる蓋４２と、蓋４２の先端に固定される取手４２ａと、を有する。取手４２ａが取付けられることにより、作業者がカバー部４を開閉させ易くなるだけでなく、作業者がシャワーフック部材２を引張り易くなる。
【００２９】
挿入部３１の筒部の内面には、引掛け部２４ａが嵌ることによりシャワーフック部材２を収容部３内に収容する収容位置に配置させる第一受け溝３１ｂが設けられる。また、挿入部３１の筒部の内面には、引掛け部２４ａが嵌ることによりシャワーフック部材２を収容部３から突出する突出位置に配置させる第二受け溝３１ｃが設けられる。収容部３の第一受け溝３１ｂと第二受け溝３１ｃとシャワーフック部材２の引掛け部２４ａにより、シャワーフック部材２は、収容部３に収容される収容位置又は収容部３から突出する突出位置に配置可能となる。なお、第一受け溝３１ｂと第二受け溝３１ｃだけに限らず、第三受け溝、第四受け溝…を設け、シャワーフック部材２の突出位置を段階的に調節できるようにしてもよい。
【００３０】
また、第一受け溝３１ｂと第二受け溝３１ｃは、挿入部３１の筒部の内面の周方向の全長に亘って設けられる。これにより、第一受け溝３１ｂと第二受け溝３１ｃにシャワーフック部材２の引掛け部２４が嵌り込み易くなる。また、収容部３に挿入されたシャワーフック部材２は、引掛け部２４ａが第一受け溝３１ｂ又は第二受け溝３１ｃに嵌ることにより、上下方向の移動は規制されるが、周方向への回転は規制されない。これにより、シャワーフック部材２のフック部２１だけでなく、収容部３内に挿入されたシャワーフック部材２も回転することができる。
【００３１】
浴槽１のフランジ部１２には、本実施形態では、図２に示すように、収容部３の鍔部３２が載置される平面視円状の載置部１２ａが形成される。そして、載置部１２ａの中心部分には収容部３を浴槽１内部に挿入可能にする挿入開口１２ｂが形成される。
【００３２】
載置部１２ａは、鍔部３２の上端面とフランジ部１２の上端面とが面一になるように、フランジ部１２の上端面から凹没して設けられる。載置部１２ａは、フランジ部１２よりも一段下方に位置し、フランジ部１２の下端面から突出して設けられる。
【００３３】
上記した構成のシャワーフック部材２の浴槽１への取付けでは、使用者は、浴槽１の載置部１２ａの挿入開口１２ｂから浴槽１の内部へ収容部３を挿入し、載置部１２ａに収容部３の鍔部３２を載置させる。そして、使用者は、収容部３の挿通開口３１ａから収容部３の内部にシャワーフック部材２を挿入し、シャワーフック部材２が収容位置になるまで押し込む。そして、使用の際には、使用者はカバー部４の取手４２ａを持ち、シャワーフック部材２を突出位置まで引き上げて、フック部２１を使用に適した位置まで回転させてから使用する。
【００３４】
上記した構成の浴槽１では、壁パネル５２に取付けられたシャワーフック５２ｃとは別に、浴槽１のフランジ部１２に配置される収容部３に収容されるシャワーフック部材２が設置される。シャワーフック部材２は、収容部３に収容される収容位置と収容部３から突出する突出位置に配置可能となる。使用者はシャワーフック部材２を使用するときには、シャワーフック部材２を突出位置まで引き上げ、使用者はシャワーフック部材２を使用しないときには、シャワーフック部材２を収容位置まで押し込む。これにより、シャワーフック部材２は、使用者が浴槽本体１１と洗い場５１の間を移動する際の妨げとなり難くなる。
【００３５】
以下に本実施形態の浴槽１の構成について記載する。
【００３６】
浴槽１は、浴槽本体１１と、浴槽本体１１の上縁に設けられるフランジ部１２と、シャワーヘッド５３を掛けることができるシャワーフック部材２と、フランジ部１２に配置されシャワーフック部材２を収容可能な収容部３と、を備える。シャワーフック部材２は、収容部３に収容される収容位置又は収容部３から突出する突出位置、に配置可能に設けられることを特徴とする。
【００３７】
これにより、シャワーフック部材２は、使用者が浴槽本体１１と洗い場５１の間を移動する際の妨げとなり難くなる。
【００３８】
また、シャワーフック部材２は、上端部に設けられるフック部２１と、フック部２１を回転自在に支持する固定部２２と、を有することが好ましい。
【００３９】
シャワーヘッド５３を掛け易い位置にフック部２１を回転させることにより、シャワーの使い勝手を向上させることができる。
【００４０】
また、収容部３には、シャワーフック部材２を挿通させる挿通開口３１ａが形成され、シャワーフック部材２には、挿通開口３１ａを開閉自在に覆うカバー部４が設けられることが好ましい。
【００４１】
これにより、シャワーフック部材２と収容部３との間に湯水が浸入し難くなる。
【符号の説明】
【００４２】
１    浴槽
１１  浴槽本体
１２  フランジ部
２    シャワーフック部材
２１  フック部
２２  固定部
３    収容部
４    カバー部
【図１】
2015202145.tif 000003
【図２】
2015202145.tif 000004
【図３】
2015202145.tif 000005
【図４】
2015202145.tif 000006